(57)【要約】【課題】既存のエアーコンディショナー自体を改良や変更せずに、簡単な構成の装置を単純に付加することで足り、且つランニング作業も容易で、費用も軽微なエアーコンディショナー室外機の省エネ装置を提供せんとする。【解決手段】水槽２と、エアーコンディショナー室外機１の放熱フィン１１に散水する散水部材３とを備え、前記水槽２はエアーコンディショナー室外機１の天板１２上に設置される。前記散水部材３は吸水性と拡散性のよい紙製品又は繊維製品から成り、基部を前記水槽２内に浸し、前記放熱フィン１１の吸気側に垂下された先部によって、水が毛細管現象によって供給される。無蓋の前記水槽２内に水供給器４が設置される。前記水供給器４は自立可能な面を有し、当該面を底面として前記水槽２への設置時に、一側面に横方向に開いた供給口４１を除いた密閉の容器であり、前記供給口４１が前記水槽２の側周壁２１を越えない大きさ及び位置に形成し、給水の制御を可能とした。【選択図】  図１
0003181595.tif 000002
【実用新案登録請求の範囲】
【請求項１】
水槽と、エアーコンディショナー室外機の放熱フィンに散水する散水部材とを備え、前記水槽はエアーコンディショナー室外機の天板上に設置され、前記散水部材は吸水性と拡散性のよい紙製品又は繊維製品から成り、基部を前記水槽内に浸し、前記放熱フィンの吸気側に垂下された先部によって、水が毛細管現象によって供給されるものであって、無蓋の前記水槽内に水供給器が設置され、前記水供給器は自立可能な面を有すること、当該面を底面として前記水槽への設置時に、一側面に横方向に開いた供給口を除いた密閉の容器であること、前記供給口が前記水槽の側周壁を越えない大きさ及び位置に形成し、給水の制御を可能としたこと特徴とするエアーコンディショナー室外機の省エネ装置。
【請求項２】
前記水供給器に給水口とその密閉用蓋を着脱自在に設け、供給口にフレキシブル管を連結したことを特徴とする請求項１記載のエアーコンディショナー室外機の省エネ装置。
【請求項３】
前記水供給器に運搬可能な持ち手を設けたことを特徴とする請求項１又は２記載のエアーコンディショナー室外機の省エネ装置。
【考案の詳細な説明】
【技術分野】
【０００１】
本考案は、エアーコンディショナーの省エネ装置に関し、詳しくはエアーコンディショナー室外機の熱交換効率を向上させるエアーコンディショナー室外機水冷省エネ装置に関する。
【背景技術】
【０００２】
近年はほとんどの家庭にエアーコンディショナーが設置されるようになり、その結果として、夏場の電気需要が高まり、空調機に対する省エネの要請が高まっている。
そして、この電力消費の多くを占めるエアーコンディショナーの消費電力を下げる方法が種々提案されている。
【０００３】
この目的を達成するための改良方法として、室内外機の熱交換器の効率を上げること、コンプレッサーやモータの効率を上げること、また、冷風の吹き出し方向や吹出し方法あるいは温度の設定方法を工夫すること等で、消費電力の低減を図っている。
【０００４】
例えば、特開２００３−４２４７６号公報では、エアーコンディショナーの室外機に、室外機の送風を利用してファンを取り付けて回し、ドレンの冷水を熱交換機のフィンに散布して冷却効果が得られようにしたことが開示されている。
【０００５】
また、特開２００３−２６９７６６号では、エアーコンディショナーの室外機の吸気面に吸気筒を設けた蓋部材を取り付け、その室外機の吸気筒を家屋の基礎に挿通して床下に入れるように設置し、この室外機を室内機と接して冷房運転を行うことによって、室外機は吸気筒を介して床下の空気を吸い込んで熱交換を行うことが開示されている。
【０００６】
さらに、特開２０１０−２１６７０９号公報では、エアーコンディショナー室外機の天板上に設置された水槽と、エアーコンディショナー室外機の放熱フィンの吸気側に配置された吸水性と拡散性のよい網状の繊維製品からなる散水機構と、エアーコンディショナーの稼動と連動して前記散水機構の上端を前記水槽の冷却水から出し入れする連動機構とから構成され、冷却水は毛細管現象により水槽から散水機構に供給する構成が開示されている。
【先行技術文献】
【特許文献】
【０００７】
【特許文献１】特開２００３−４２４７６号公報
【特許文献２】特開２００３−２６９７６６号公報
【特許文献３】特開２０１０−２１６７０９号公報
【考案の概要】
【考案が解決しようとする課題】
【０００８】
本考案は、エアーコンディショナー自体を省エネ型の機構に改良することなく、既存の構成のエアーコンディショナーに省エネ装置を付加することによって目的を達成せんとするもので上記特開２０１０−２１６７０９号公報の特徴を踏襲するものである。
【０００９】
すなわち、既存のエアーコンディショナー自体を改良や変更せずに、簡単な構成の装置を単純に付加することで足り、且つランニング作業も容易で、費用も軽微なエアーコンディショナー室外機の省エネ装置を提供せんとするものである。
【課題を解決するための手段】
【００１０】
本考案に係るエアーコンディショナー室外機の省エネ装置の請求項１の考案は、水槽と、エアーコンディショナー室外機の放熱フィンに散水する散水部材とを備え、前記水槽はエアーコンディショナー室外機の天板上に設置され、前記散水部材は吸水性と拡散性のよい紙製品又は繊維製品から成り、基部を前記水槽内に浸し、前記放熱フィンの吸気側に垂下された先部によって、水が毛細管現象によって供給されるものであって、無蓋の前記水槽内に水供給器が設置され、前記水供給器は自立可能な面を有すること、当該面を底面として前記水槽への設置時に、一側面に横方向に開いた供給口を除いた密閉の容器であること、前記供給口が前記水槽の側周壁を越えない大きさ及び位置に形成し、給水の制御を可能としたこと特徴とするものである。
【００１１】
請求項２に係るエアーコンディショナー室外機の省エネ装置の考案は、請求項１記載の考案において、前記水供給器に給水口とその密閉用蓋を着脱自在に設け、供給口にフレキシブル管を連結したことを特徴とするものである。
【００１２】
請求項３に係るエアーコンディショナー室外機の省エネ装置の考案は、請求項１又は２記載の考案において、前記水供給器に運搬可能な持ち手を設けたことを特徴とするものである。
【考案の効果】
【００１３】
請求項１の考案は、水の放熱フィンへの均一な散水を確保し、水の引水配管工事や電磁弁等による給水の制御などを必要とせずに給水ができ、既存のエアーコンディショナー室外機に誰もが簡単に取り付けることができる効果がある。
また、水冷により熱交換効率を向上させるので、特に高出力を必要とする真夏日の昼ごろにも省エネとなる効果がある。
さらに、エアーコンディショナー室外機から排出される大量の熱が冷却水により吸収されるので、都市部のヒートアイランド現象を緩和する効果も期待できる。
【００１４】
請求項２の考案は、請求項１の効果に加えて、給水器への給水を容易とし、且つ密閉作用も得られ、フレキシブル管の先端口の位置で水位の調節や変更を簡単に行なえる効果がある。
【００１５】
請求項３の考案は、請求項１又は２の効果に加えて、水供給器の持ち運びが容易となり、水供給器の水の補給のため等の作業が至便となる効果がある。
【図面の簡単な説明】
【００１６】
【図１】本考案の本考案の一実施の形態を示す断面図である。
【図２】他の一実施の形態を示す要部断面図である。
【図３】水供給器の一実施の形態を示す側面図である。
【考案を実施するための形態】
【００１７】
本考案を実施するための形態を図面に基づいて説明する。
図１は本考案のエアーコンディショナー室外機の内部を省略した一実施の形態を示すものであり、本考案に係るエアーコンディショナー室外機１の省エネ装置は、水槽２と、エアーコンディショナー室外機１の放熱フィン１１に散水する散水部材３と、水供給器４より成る。
【００１８】
前記水槽２はエアーコンディショナー室外機１の天板１２上に設置され、無蓋の水槽２内には水供給器４が設置されている。
【００１９】
そして、前記水供給器４は自立可能な面を有すること、当該面を底面として前記水槽２への設置時に、一側面に横方向に開いた供給口４１を除いた密閉の容器であり、前記供給口４１が前記水槽２の側周壁２１を越えない大きさ及び位置に形成してある。
【００２０】
したがって、水槽２内の水が散水部材３に供給されて水位が下がり、供給口４１が水面から露出すると、空気が水供給器４内に入るとともに水供給器４内の水が水槽２に流出する。
水槽２内の水位が再び供給口４１を塞いで空気が水供給器４内に入らなくなると、水の流出につれて水供給器４内の真空圧は段々大きくなり、水供給器４内の真空圧と大気圧の気圧差が水供給器４内の水位と水槽２内の水位との差による水圧差に再び等しくなると、水の流出が止まる。
【００２１】
このようなことを繰り返しながら、水は水槽２内の水位を略一定に保持されながら水供給器４から水槽２に供給され、給水の制御を可能とするものである。
【００２２】
一方、前記散水部材３は、例えば吸水性と拡散性のよい紙製品又は繊維製品から成り、基部を前記水槽２内に浸し、先部をエアーコンディショナー室外機１の放熱フィン１１の吸気側に係止具２２を介して垂下されているため、水が毛細管現象によって水槽２から放熱フィン１１の吸気側へ供給されるものである。
【００２３】
散水部材３は冷却風によって放熱フィン１１に寄り付き、散水部材３と放熱フィン１は互いに接触し、低温の散水部材３と高温の放熱フィン１１の直接接触と水の蒸発効果によって、放熱フィン１１は冷却風のみによって熱交換するときに比べて効率よく冷却されるものである。
【００２４】
図２は他の一実施の形態を示す要部断面図であり、前記水供給器４に給水口４２とその密閉用蓋４３を着脱自在に設け、供給口４１にフレキシブル管４４を連結したものである。
給水器への給水を容易とし、且つ密閉作用も得られ、フレキシブル管の先端口の位置で水位の調節や変更を簡単に行なえるものである。
【００２５】
また、図３においては、水供給器４には運搬可能な持ち手４５が設けてあり、水供給器４の持ち運びが容易となり、水供給器４の水の補給のため等の作業が至便となる。
【００２６】
以上のように、本考案を図面に基づいて説明した実施の形態における具体的構成は一例であり、同様の作用効果を得られる他の構成又は手段を排除するものではない。
【符号の説明】
【００２７】
１    エアーコンディショナー室外機
２    水槽
３    散水部材
４    水供給器
１１  放熱フィン
１２  天板
２１  側周壁
２２  係止具
４１  供給口
４２  給水口
４３  密閉用蓋
４４  フレキシブル管
４５  持ち手
【図１】
0003181595.tif 000003
【図２】
0003181595.tif 000004
【図３】
0003181595.tif 000005